(57)【要約】【課題】スイッチング電源の動作クロック周波数に応じた表示画面上のノイズへの対策として、従来にない新規な方法を提供する。【解決手段】電源回路１１の動作クロック周波数を決定するためのクロック信号を電源回路１１に出力するマイコン１４を備え、マイコン１４は、同期分離回路１２から出力された水平同期信号の周波数のｎ倍（ただし、ｎは自然数）の周波数となる信号を、クロック信号として電源回路１１に出力する。【選択図】図１
2011114766.tif 000002
【特許請求の範囲】
【請求項１】
入力されたアナログビデオ信号を、映像表示装置（２）が画像表示できる信号にして出力するビデオ信号処理装置であって、
当該ビデオ信号処理装置内の各部に対して電力供給を行うスイッチング電源である電源回路（１１）と、
前記アナログビデオ信号から水平同期信号を分離して出力する同期分離回路（１２）と、
前記電源回路（１１）の動作クロック周波数を決定するためのクロック信号を前記電源回路（１１）に出力するクロック生成回路（１４、１５）と、を備え、
前記クロック生成回路（１４、１５）は、前記水平同期信号の周波数のｎ倍（ただし、ｎは自然数）の周波数となる信号を、前記クロック信号として前記電源回路（１１）に出力することを特徴とするビデオ信号処理装置。
【請求項２】
前記クロック生成回路（１４）は、所定のサンプリング周波数ｆで前記水平同期信号をサンプリングし、前記水平同期信号の２つの立ち上がりエッジ間または２つの立ち下がりエッジ間のサンプリング回数と前記サンプリング周波数ｆとに基づいて、前記水平同期信号の周波数を算出し、算出した周波数の前記ｎ倍を、前記クロック信号の周波数とすることを特徴とする請求項１に記載のビデオ信号処理装置。
【請求項３】
前記クロック生成回路（１４、１５）は、ＰＬＬ周波数シンセサイザ（１５）であり、前記ＰＬＬ周波数シンセサイザ（１５）には、前記水平同期信号が入力され、前記ＰＬＬ周波数シンセサイザ（１５）の出力が前記クロック信号として前記電源回路（１１）に出力され、前記ＰＬＬ周波数シンセサイザ（１５）の可変分周器（１５ｄ）の分周比は、前記ｎであることを特徴とする請求項１に記載のビデオ信号処理装置。
【請求項４】
前記クロック信号の周波数は、２８０〜５２１ｋＨｚの帯域内に入ることを特徴とする請求項１ないし３のいずれか１つに記載のビデオ信号処理装置。
【請求項５】
請求項１ないし４のいずれか１つに記載のビデオ信号処理装置を備えた電子機器。
【発明の詳細な説明】
【技術分野】
【０００１】
本発明は、ビデオ信号処理装置およびビデオ信号処理装置を備えた電子機器に関するものである。
【背景技術】
【０００２】
従来、ビデオ信号処理回路の各部にスイッチング電源から電力を供給する際に、スイッチング電源の動作クロック周波数のノイズがビデオ信号に重畳されてしまい、そのノイズが表示画面上の線状のノイズとして表れてしまうという問題が知られている。
【０００３】
特許文献１には、この問題への対策として、表示画面上で線状のノイズが斜めに高速に流れるよう、スイッチング電源の動作クロック周波数を設定する技術が記載されている。この技術は、線状のノイズの流れが高速になればなるほど、人の目に目立ちにくくなるという観点に基づいたものである。
【先行技術文献】
【特許文献】
【０００４】
【特許文献１】国際公開０７／０００９９７号
【発明の概要】
【発明が解決しようとする課題】
【０００５】
しかし、動作クロック周波数を生成する発振回路は温度に応じて特性が変化するので、温度によっては、線状のノイズの移動速度が人の目に見える程度まで落ちてしてしまう恐れもある。
【０００６】
本発明は上記点に鑑み、スイッチング電源の動作クロック周波数に応じた表示画面上のノイズへの対策として、従来にない新規な方法を提供することを目的とする。
【課題を解決するための手段】
【０００７】
上記目的を達成するための請求項１に記載の発明は、入力されたアナログビデオ信号を、映像表示装置（２）が画像表示できる信号にして出力するビデオ信号処理装置であって、当該ビデオ信号処理装置内の各部に対して電力供給を行うスイッチング電源である電源回路（１１）と、前記アナログビデオ信号から水平同期信号を分離して出力する同期分離回路（１２）と、前記電源回路（１１）の動作クロック周波数を決定するためのクロック信号を前記電源回路（１１）に出力するクロック生成回路（１４、１５）と、を備え、前記クロック生成回路（１４、１５）は、前記水平同期信号の周波数のｎ倍（ただし、ｎは自然数）の周波数となる信号を、前記クロック信号として前記電源回路（１１）に出力することを特徴とするビデオ信号処理装置である。
【０００８】
このように、クロック生成回路（１４、１５）は、入力される水平同期信号の周波数のｎ倍（ただし、ｎは自然数）の周波数となる信号を、クロック信号として電源回路（１１）に出力する。
【０００９】
したがって、入力される水平同期信号の周波数が製品間で異なっていても、各製品の水平同期周波数に合わせて、クロック信号の周波数をｎ倍に設定できる。また、入力される水平同期信号の周波数が経時的に変化しても、その変化に追従して、クロック信号の周波数をｎ倍に設定できる。
【００１０】
このように、クロック信号の周波数が水平同期周波数のｎ倍となっていると、映像表示装置２の表示画面上では、電源回路（１１）の動作クロック周波数のノイズが、縦線として固定される。
【００１１】
従来は、この電源動作クロック信号による線状の画面ノイズを人に見えにくくするために、表示画面上で画面ノイズの流れる速度を人の目が見えない程度まで高めるようにしていた（特許文献１参照）。
【００１２】
一方、本発明では、全く逆の発想で、クロック信号の周波数を水平同期周波数のｎ倍に同期させ、画面ノイズを縦線で画面固定させることで、人の目に付き難くさせる。画面ノイズを縦線で画面固定させると、人の目に付き難くなるのは、人の目は、動くものに反応しやすく、逆に、動かないものには反応し易いという性質があるからである。したがって、画面上にノイズがあったとしても、それが表示画面上に固定されていれば、あまり気にならない。
【００１３】
本発明では、このような事実を利用して、クロック信号を積極的に水平同期周波数のｎ倍に追従させる。ここで、積極的に追従させているという点が重要である。例えば、電源動作クロック信号を、入力されるビデオ信号の規格上の水平同期周波数に単純に固定したとしても、製品間のばらつき、経時的な変化等により、ノイズが画面上で変動してしまい、目立ち易くなってしまう可能性が高い。本発明では、電源動作クロック信号を積極的に水平同期周波数のｎ倍に追従させるので、ノイズが画面上で変動することがほとんどない。
【００１４】
クロック生成回路（１４）の具体的な作動としては、例えば、請求項２に記載のように、請求項１に記載のビデオ信号処理装置において、前記クロック生成回路（１４）は、所定のサンプリング周波数ｆで前記水平同期信号をサンプリングし、前記水平同期信号の２つの立ち上がりエッジ間または２つの立ち下がりエッジ間のサンプリング回数と前記サンプリング周波数ｆとに基づいて、前記水平同期信号の周波数を算出し、算出した周波数の前記ｎ倍を、前記クロック信号の周波数とすることを特徴としてもよい。
【００１５】
また、請求項３に記載の発明は、請求項１に記載のビデオ信号処理装置において、前記クロック生成回路（１４、１５）は、ＰＬＬ周波数シンセサイザ（１５）であり、前記ＰＬＬ周波数シンセサイザ（１５）には、前記水平同期信号が入力され、前記ＰＬＬ周波数シンセサイザ（１５）の出力が前記クロック信号として前記電源回路（１１）に出力され、前記ＰＬＬ周波数シンセサイザ（１５）の可変分周器（１５ｄ）の分周比は、前記ｎであることを特徴とする。このようになっていることで、高い精度かつ速い応答性で、クロック信号を水平同期周波数のｎ倍に追従させることができる。
【００１６】
また、請求項４に記載の発明は、請求項１ないし３のいずれか１つに記載のビデオ信号処理装置において、前記クロック信号の周波数は、２８０〜５２１ｋＨｚの帯域内に入ることを特徴とする。このようにすることで、ラジオ、テレビ等の他の用途に使用されている電波にノイズを与える可能性が低減する。
【００１７】
また、請求項５に記載の発明は、請求項１ないし４のいずれか１つに記載のビデオ信号処理装置を備えた電子機器である。このように、本発明の特徴は、ビデオ信号処理装置を備えた電子機器としても捉えることができる。
【００１８】
なお、上記および特許請求の範囲における括弧内の符号は、特許請求の範囲に記載された用語と後述の実施形態に記載される当該用語を例示する具体物等との対応関係を示すものである。
【図面の簡単な説明】
【００１９】
【図１】本発明の第１実施形態に係るビデオ信号処理回路１の構成を示すブロック図である。
【図２】クロック制御処理のフローチャートである。
【図３】本発明の第２実施形態に係るビデオ信号処理回路１の構成を示すブロック図である。
【図４】本発明の第３実施形態に係るビデオ信号処理回路１の構成を示すブロック図である。
【図５】本発明の第４実施形態に係るビデオ信号処理回路１の構成を示すブロック図である。
【発明を実施するための形態】
【００２０】
（第１実施形態）
以下、本発明の第１実施形態について説明する。図１に、本実施形態に係るビデオ信号処理装置１の構成を示す。このビデオ信号処理装置１は、入力されたアナログビデオ信号（例えばＮＴＳＣ方式のビデオ信号、ＰＡＬ方式のビデオ信号）を、映像表示装置２が画像表示できる形式の信号（例えば、ＲＧＢ信号）に変換して出力する回路である。
【００２１】
映像表示装置２は、液晶ディスプレイ表示装置であり、ビデオ信号処理装置１から入力された信号に応じた画像を表示画面に表示する。映像表示装置２のバックライトとしてはＬＥＤ（発光ダイオード）を採用している。
【００２２】
本実施形態では、人の目は「動くもの」に反応しやすい（人の目は「動かないもの」に反応しにくい)という性質に着目して、電源回路の動作クロック周波数をビデオ信号の水平同期周波数のｎ倍（ただし、ｎは自然数）に同期追従させ、画面ノイズを映像に縦線として固定させる。
【００２３】
このビデオ信号処理装置１は、例えば、車両に搭載されるナビゲーション装置、車両に搭載される車外モニタシステム、人が携帯する電子機器（携帯電話機、ＰＤＡ、携帯型ゲーム機）等の電子機器の部品として使用される。図１に示すように、ビデオ信号処理装置１は、電源回路１１、同期分離回路１２、信号処理部１３、およびマイコン１４を備えている。
【００２４】
電源回路１１は、ビデオ信号処理装置１の外部の電源（例えば、車両に搭載されたバッテリ）から電力供給を受け、ビデオ信号処理装置１内の各部１２〜１４および映像表示装置２に対して、それぞれに適した電圧で電力供給を行うスイッチング電源である。電源回路１１のスイッチング動作の周波数（すなわち、動作クロック周波数）を決定するためのクロック信号（以下、電源動作クロック信号という）は、電源回路１１の外部から電源回路１１に入力されるようになっている。
【００２５】
同期分離回路１２は、ビデオ信号処理装置１の外部からアナログビデオ信号の入力を受け、受けたアナログビデオ信号から垂直同期信号および水平同期信号を分離してそれぞれ出力する回路である。
【００２６】
信号処理部１３は、同期分離回路１２に入力されるのと同じアナログビデオ信号の入力を受けると共に、同期分離回路１２から出力された垂直同期信号および水平同期信号の入力を受け、これらアナログビデオ信号、垂直同期信号、水平同期信号に基づいて、アナログビデオ信号を映像表示装置２が画像表示できる形式の信号（例えば、ＲＧＢ信号）に変換して出力する。
【００２７】
例えば、信号処理部１３は、アナログビデオ信号に対して、増幅、Ｙ／Ｃ分離、デジタルサンプリング、デコード、ディザリング等の処理を行う。また、信号処理部１３にはＰＬＬ回路が含まれ、デジタルサンプリングのサンプリングタイミングは、このＰＬＬ回路で水平同期信号をメガヘルツオーダーまで逓倍したクロック信号の立ち上がりタイミングに従って決定する。
【００２８】
マイコン１４は、ＣＰＵ、ＲＡＭ、ＲＯＭ等を備えた周知のマイクロコンピュータであり、ＣＰＵがＲＯＭ中のプログラムを実行することで、電源回路１１の作動のオン・オフ制御および電源回路１１の電源動作クロック信号の電源回路１１への出力等の処理を実現する。なお、このマイコン１４には、同期分離回路１２が出力した水平同期信号が入力される。
【００２９】
ここで、電源動作クロック信号の出力のためにマイコン１４が実行するクロック制御処理について説明する。図２に、このクロック制御処理のフローチャートを示す。
【００３０】
マイコン１４が起動すると、ＣＰＵが所定のプログラムを実行開始し、それにより、マイコン１４がクロック制御処理を開始する。そしてマイコン１４は、まずステップ１１０で、入力されている水平同期信号を取り込み始める。
【００３１】
具体的には、所定のサンプリング周波数ｆで、水平同期信号の電圧レベルをサンプリングし始める。このサンプリング周波数ｆは、水平同期周波数（ＮＴＳＣ方式のビデオ信号の場合、規格上は１５．７３４ｋＨｚ、ＰＡＬ方式のビデオ信号の場合、規格上は１５．６２５ｋＨｚ）よりも十分大きい（例えば、１０倍から１００倍）周波数とする。マイコン１４は、ステップ１１０以降も、図２の処理と並列的に（すなわち、同時並行的に）、水平同期信号の電圧レベルをサンプリング周波数ｆでサンプリングし続ける。
【００３２】
続いてステップ１１５では、電源回路１１に電源動作クロック信号の出力を開始する。これによって、マイコン１４は、ステップ１１５以降も、図２の処理と並列的に（すなわち、同時並行的に）、電源動作クロック信号の出力を継続することになる。
【００３３】
出力開始時の電源動作クロック信号の周波数としては、あらかじめ記録されているデフォルト値を採用する。デフォルト値としては、入力されるアナログビデオ信号の規格上の水平同期周波数に、所定の自然数ｎ（例えばｎ＝３３）を乗算した結果の周波数を採用する。ｎの値の意義については後述する。なお、この電源動作クロック信号の周波数は、後述するステップ１５０または１７０で再設定されるまでは、変化しない。
【００３４】
続いてステップ１２０では、サンプリングした水平同期信号の電圧レベルの立ち下がりエッジを検出するまで待ち、検出した場合は、ステップ１３０に進む。ただし、所定の期間待っても電圧レベルの立ち下がりを検出できない場合は、水平同期信号に異常がある可能生が高いので、ステップ１６０に進む。所定の期間としては、例えば、入力されるアナログビデオ信号の規格上の水平同期周波数の逆数の２．５倍程度とする。
【００３５】
ステップ１３０では、サンプリングした水平同期信号の電圧レベルの次の立ち下がりエッジを検出するまで待ち、検出した場合は、ステップ１４０に進む。ただし、所定の期間（ここでは、アナログビデオ信号の規格上の水平同期周波数の逆数の１．５倍程度とする）だけ待っても電圧レベルの立ち下がりを検出できない場合は、水平同期信号に異常がある可能生が高いので、ステップ１６０に進む。
【００３６】
ステップ１４０では、ステップ１２０で立ち下がりエッジを検出したタイミングからステップ１３０で次の立ち下がりエッジを検出したタイミングまでのサンプリング回数を特定し、特定したサンプリング回数とマイコン１４のサンプリング周波数ｆとに基づいて、入力された水平同期信号の水平同期周波数を算出する。具体的には、ステップ１２０で立ち下がりエッジを検出してからＭ回後のサンプリングにおいて、次の立ち下がりエッジを検出した場合は、入力された水平同期信号の水平同期周波数Ｈの値がｆ／Ｍとなる。
【００３７】
このようにして算出された水平同期周波数Ｈは、水平同期信号の現時点における周波数である。水平同期信号の周波数は、規格上は決まった値となっているものの、各種要因（製品間のばらつき、温度等）によって製品間でも変化し、同じ製品でも時間的にも変化する。
【００３８】
続いてステップ１５０では、算出した水平同期周波数Ｈに所定の自然数ｎ（例えばｎ＝３３）を乗算した結果の周波数を、新たな電源動作クロック信号の周波数として再設定する。これによって、マイコン１４から電源回路１１に出力される電源動作クロック信号の周波数が、再設定された周波数となる。ステップ１５０の後、処理はステップ１２０に戻る。
【００３９】
基本的には、このようなステップ１２０〜１５０の処理を繰り返すことで、水平同期信号が２回立ち下がる度に、その時点において（より具体的には、直前の立ち下がりからその１回前の立ち下がりまでの期間において）入力された水平同期信号の周波数（すなわち、水平同期周波数）を算出し、その水平同期周波数のｎ倍になるよう電源動作クロック信号の周波数を設定する。
【００４０】
したがって、マイコン１４は、入力される水平同期信号の周波数のｎ倍の周波数となる信号を、電源動作クロック信号として電源回路１１に出力する。
【００４１】
したがって、入力される水平同期信号の周波数が製品間で異なっていても、各製品の水平同期周波数に合わせて、電源動作クロック信号の周波数をｎ倍に設定できる。また、入力される水平同期信号の周波数が経時的に変化しても、その変化に追従して、電源動作クロック信号の周波数をｎ倍に設定できる。
【００４２】
このように、電源動作クロック信号の周波数が水平同期周波数のｎ倍となっていると、映像表示装置２の表示画面上では、動作クロック周波数のノイズが、縦線として固定される。
【００４３】
従来は、この電源動作クロック信号による線状の画面ノイズを人に見えにくくするために、表示画面上で画面ノイズの流れる速度を人の目が見えない程度まで高めるようにしていた（特許文献１参照）。
【００４４】
一方、本実施形態では、全く逆の発想で、電源動作クロック信号の周波数を水平同期周波数のｎ倍に同期させ、画面ノイズを縦線で画面固定させることで、人の目に付き難くさせる。画面ノイズを縦線で画面固定させると、人の目に付き難くなるのは、人の目は、動くものに反応しやすく、逆に、動かないものには反応し易いという性質があるからである。したがって、画面上にノイズがあったとしても、それが表示画面上に固定されていれば、あまり気にならない。
【００４５】
本実施形態では、このような事実を利用して、電源動作クロック信号を積極的に水平同期周波数のｎ倍に追従させる。ここで、積極的に追従させている点が重要である。例えば、電源動作クロック信号を、入力されるビデオ信号の規格上の水平同期周波数に固定したとしても、製品間のばらつき、経時的な変化等により、ノイズが画面上で変動してしまい、目立ち易くなってしまう可能性が高い。本実施形態では、電源動作クロック信号を積極的に水平同期周波数のｎ倍に追従させるので、ノイズが画面上で変動することがほとんどない。
【００４６】
また、入力されるアナログビデオ信号の方式がＮＴＳＣ方式であろうともＰＡＬ方式であろうとも、電源動作クロック信号を積極的に水平同期周波数のｎ倍に追従させるので、ノイズが画面上で変動するノイズが画面上で変動することがほとんどない。つまり、本実施形態のビデオ信号処理装置１は、ビデオ信号の方式を問わず使用可能である。
【００４７】
また、近年の技術の向上により、電源動作クロック信号による画面ノイズは、ほとんど見えなくなる程度まで低減されている。これは、バックライトに消費電力の小さいＬＥＤを採用する等により電源回路１１自体の供給電力を低減したり、コンデンサ、コイル、ソフトウェア処理（例えばディザリング処理）等を用いた高性能なノイズ除去技術を採用することによる効果である。このような技術進歩も、画面上に固定されたノイズを見え難くするのに寄与している。実際、本実施形態の縦線の画面ノイズは、映像表示装置２の画面上では、中間色(灰色等)を全画面表示した際に見えるかどうかのレベルとなっている。実使用上では、映像表示装置２には写真や動画が表示され、中間色のみを見るケースは非常に少ないと考えられる。
【００４８】
ここで、倍数ｎの具体的な値について説明する。倍数ｎは、電源回路の効率、リップル量等を考慮して選定することができる。また、倍数ｎは、電源動作クロック信号の周波数がラジオ、テレビ等で使用されている無線の周波数帯域外となるよう、あらかじめ設定しておく。このようにすることで、ラジオ、テレビ等の他の用途に使用されている電波にノイズを与える可能性が低減する。
【００４９】
例えば、ＬＷ帯（１５３〜２７９ｋＨｚ）とＡＭ帯域（５２２〜１７１０ｋＨｚ）の間の帯域（２８０〜５２１ｋＨｚ）に電源動作クロック信号の周波数が入るよう、倍数ｎを設定しておく。また、電源回路１１のリップルを低減させたい場合は、可能な限りこの範囲内で高い周波数になるように選定する。
【００５０】
ｎ＝３３とすると、ＮＴＳＣ方式のビデオ信号（水平同期周波数は１５．７３４ｋＨｚ）の場合、電源動作クロック信号の周波数は１５．７３４×３３≒５１９ｋＨｚ程度となり、２８０〜５２１ｋＨｚの範囲内でもかなり高い周波数となる。また、ＰＡＬ方式のビデオ信号（水平同期周波数は１５．６２５ｋＨｚ）の場合でも、電源動作クロック信号の周波数は１５．６２５×３３≒５１５ｋＨｚ程度となり、やはり２８０〜５２１ｋＨｚの範囲内でもかなり高い周波数となる。
【００５１】
なお、マイコン１４は、ステップ１２０またはステップ１３０で立ち下がりエッジの検出ができなかった後のステップ１６０では、マイコン１４のＲＯＭに予め記録されているデフォルト周波数をＲＡＭに読み出す。デフォルト周波数としては、例えば、ＮＴＳＣ方式の水平同期信号の規格上の周波数でもよいし、ＰＡＬ方式の水平同期信号の規格上の周波数でもよいし、これら２つの平均であってもよい。
【００５２】
ステップ１７０では、読み出したデフォルト周波数、新たな電源動作クロック信号の周波数として再設定する。これによって、マイコン１４から電源回路１１に出力される電源動作クロック信号の周波数が、再設定された周波数となる。ステップ１７０の後、処理はステップ１２０に戻る。
【００５３】
このようにすることで、何らかの不具合で一時的に水平同期信号の立ち下がりが検出できず、そのために現時点の水平同期周波数がわからない場合でも、次善の策として、規格上の周波数（またはそれに近い周波数）の電源動作クロック信号を電源回路１１に出力することで、ノイズの乱れを最小限に抑えることができる。
【００５４】
（第２実施形態）
以下、本発明の第２実施形態について説明する。図３に、本実施形態に係るビデオ信号処理装置１の構成を示す。本実施形態も、電源動作クロック信号を積極的に水平同期周波数のｎ倍に追従させる点では、第１実施形態と同じであるが、その追従を実現させるためのハードウェア構成が異なっている。
【００５５】
具体的には、ビデオ信号処理装置１は、図３に示すように、ＰＬＬ周波数シンセサイザ１５を備えており、このＰＬＬ周波数シンセサイザ１５が、ＰＬＬ周波数シンセサイザ１５に代わって電源回路１１に電源動作クロック信号を出力する。
【００５６】
具体的には、ＰＬＬ周波数シンセサイザ１５は、外部からの入力信号と可変分周器１５ｄからの入力信号の位相差を電圧に変換して出力する位相比較器１５ａ、位相比較器１５ａの出力をフィルタリングして出力するＬＰＦ（ローパスフィルタ）１５ｂ、ＬＰＦ１５ｂの出力電圧に応じて発振周波数が変化するＶＣＯ（電圧制御発信器）１５ｃ、ＶＣＯ１５ｃの出力を分周して出力する可変分周器１５ｄを備えている。
【００５７】
そして、位相比較器１５ａへの外部からの入力信号は、同期分離回路１２から出力された水平同期信号であり、ＶＣＯ１５ｃの出力が電源動作クロック信号として電源回路１１に出力される。
【００５８】
また、本実施形態のマイコン１４は、電源動作クロック信号の出力は行わず、電源回路１１の作動のオン・オフ制御に加え、ＰＬＬ周波数シンセサイザ１５の可変分周器１５ｄに対して、あらかじめ定められた分周比ｎ（ｎは第１実施形態と同じ自然数）の信号を出力する。
【００５９】
このようになっていることで、ＰＬＬ周波数シンセサイザ１５は、入力された水平同期信号のｎ倍の周波数の信号を、電源動作クロック信号として電源回路１１に出力する。したがって、ビデオ信号処理装置１の作動中、ＰＬＬ周波数シンセサイザ１５に入力された水平同期信号の水平同期周波数のｎ倍の周波数の電源動作クロック信号が、常に電源回路１１に入力される。したがって、映像表示装置２の表示画面上では、電源回路１１の動作クロック周波数のノイズが、縦線として固定される。
【００６０】
そして、入力される水平同期信号の周波数が製品間で異なっていても、各製品の水平同期周波数に合わせて、電源動作クロック信号の周波数をｎ倍に設定できる。また、入力される水平同期信号の周波数が経時的に変化しても、その変化に追従して、電源動作クロック信号の周波数をｎ倍に設定できる。
【００６１】
また、本実施形態では、第１実施形態よりも高い精度かつ速い応答性で、電源動作クロック信号を水平同期周波数のｎ倍に追従させることができる。
【００６２】
第１実施形態よりも高い精度となるのは、第１実施形態においては、立ち下がりエッジの検出のためのサンプリングが離散的に実行されるので、水平同期周波数の算出値の精度の上限がサンプリング周波数によって抑えられてしまうことが原因である。ただし、第１実施形態においても、サンプリング周波数を十分に高くすれば、必要な精度を得ることができる。
【００６３】
第１実施形態よりも速い応答性となるのは、第１実施形態においては、水平同期周波数が変化したとしても、少なくとも時間的に隣り合う２つの立ち下がりエッジを待たなければ、その変化に追従した電源動作クロック信号の出力ができないことが原因である。ただし、第１実施形態においても、水平同期信号の経時変化の周波数が、水平同期周波数よりも十分小さければ、この応答性の遅れは問題にならない。
【００６４】
（第３実施形態）
以下、本発明の第３実施形態について説明する。図４に、本実施形態に係るビデオ信号処理装置１の構成を示す。本実施形態のビデオ信号処理装置１は、以下の（Ａ）、（Ｂ）のみが第１実施形態と異なっており、他の部分は第１実施形態と同じである。
（Ａ）本実施形態においては、同期分離回路１２が信号処理部１３に含まれている。
（Ｂ）本実施形態においては、第１実施形態における信号処理部１３の構成が、デコード部１６に含まれている。
【００６５】
したがって、本実施形態のビデオ信号処理装置１も、第１実施形態と同等の作動を実現し、同等の効果を発揮する。
【００６６】
（第４実施形態）
以下、本発明の第４実施形態について説明する。図５に、本実施形態に係るビデオ信号処理装置１の構成を示す。本実施形態のビデオ信号処理装置１は、以下の（Ｃ）、（Ｄ）のみが第２実施形態と異なっており、他の部分は第２実施形態と同じである。
（Ａ）本実施形態においては、同期分離回路１２が信号処理部１３に含まれている。
（Ｂ）本実施形態においては、第２実施形態における信号処理部１３の構成が、デコード部１６に含まれている。
【００６７】
したがって、本実施形態のビデオ信号処理装置１も、第２実施形態と同等の作動を実現し、同等の効果を発揮する。
【００６８】
なお、上記第１、第３実施形態においては、マイコン１４がクロック生成回路の一例に相当し、第２、第４実施形態においては、ＰＬＬ周波数シンセサイザ１５がクロック生成回路の一例に相当する。
【００６９】
（他の実施形態）
以上、本発明の実施形態について説明したが、本発明の範囲は、上記実施形態のみに限定されるものではなく、本発明の各発明特定事項の機能を実現し得る種々の形態を包含するものである。
【００７０】
例えば、上記第１、第３実施形態においては、信号処理部１３に含まれるＰＬＬ回路で数ＭＨｚに逓倍された水平同期信号をマイコン１４に入力し、マイコン１４は、入力された当該信号を分周し、分周した結果の信号を電源動作クロック信号として電源回路１１に入力するようになっていてもよい。
【００７１】
また、上記第２、第４実施形態においては、ＰＬＬ周波数シンセサイザ１５を廃して、信号処理部１３に含まれるＰＬＬ回路で数ＭＨｚに逓倍された水平同期信号を、電源動作クロック信号として電源回路１１に入力するようになっていてもよい。携帯、ＰＤＡ、携帯ゲーム機の小電力のビデオ信号処理装置の電源なら、動作クロック周波数が数ＭＨｚとなる可能性もある。
【００７２】
また、上記第２、第４実施形態においては、マイコン１４を廃して、マイコン１４の代わりに、抵抗を用いた分圧回路の出力を分周比として可変分周器１５ｄに入力することで実現してもよい。
【００７３】
また、上記各実施形態においては、信号処理部１３にアナログビデオ信号のみならず、デジタルビデオ信号も入力可能になっていてもよい。
【００７４】
また、上記実施形態においては、映像表示装置２が液晶ディスプレイであったが、画面中で静止している縦線状のノイズが、全面が単色の画像以外の画像（風景写真画像、動画等）を表示したときにあまり目立たない程度のものであれば、ＥＬ（エレクトロルミネッセンス）ディスプレイ、ＣＲＴディスプレイ等のディスプレイであってもよいし、また、冷陰極管（ＬＥＤよりは消費電力が大きい）をバックライトとして用いる液晶ディスプレイであってもよい。
【００７５】
また、上記第１実施形態においては、立ち上がりエッジを立ち下がりエッジに置き換えても、同等の効果を得ることができる。
【００７６】
また、上記実施形態においては、倍数ｎの例として３３を挙げたが、縦ノイズを画面に固定するよう、水平同期周波数に追従するという目的を達成するだけなら、倍数ｎの値は自然数であればどのような値でもよい。
【００７７】
また、上記実施形態では、ビデオ信号処理装置１は、入力されたアナログビデオ信号（例えばＮＴＳＣ方式のビデオ信号、ＰＡＬ方式のビデオ信号）を、映像表示装置２が画像表示できる形式の信号（例えば、ＲＧＢ信号）に変換して出力するようになっていた。しかし、ビデオ信号処理装置１は、入力されたアナログビデオ信号を単に増幅して映像表示装置２（例えばＣＲＴ）に出力する回路であってもよい。つまり、ビデオ信号処理装置１は、入力されたアナログビデオ信号を、映像表示装置２が画像表示できる信号にして、映像表示装置２に出力するようになっていればよい。ここで、映像表示装置２が画像表示できる信号とは、その信号を映像表示装置２が受けたときに、映像表示装置２がその信号の示す画像を表示することできるような信号をいう。
【符号の説明】
【００７８】
１                ビデオ信号処理装置
２                映像表示装置
１１              電源回路
１２              同期分離回路
１３              信号処理部
１４              マイコン
１５              ＰＬＬ周波数シンセサイザ
１５ａ            位相比較器
１５ｂ            ＬＰＦ
１５ｃ            ＶＣＯ
１５ｄ            可変分周器
１６              デコード部
【図１】
2011114766.tif 000003
【図２】
2011114766.tif 000004
【図３】
2011114766.tif 000005
【図４】
2011114766.tif 000006
【図５】
2011114766.tif 000007